【手続補正書】
【提出日】平成15年11月26日(2003.11.26)
【手続補正１】
【補正対象書類名】明細書
【補正対象項目名】特許請求の範囲
【補正方法】変更
【補正の内容】
【特許請求の範囲】
【請求項１】
第１の通信系を介して受信された受信信号が回り込み経路を介して第２の通信系に回り込む伝送系において、
前記第１の通信系で前記回り込み経路の特性の変動に応じて前記第１の通信系への入力信号に対する適応計算を行いＢＧ側推定エコーを算出するＢＧ側適応フィルタと、
前記第１の通信系への入力信号に対して所要の係数を用いる畳み込み演算を行ってＦＧ側推定エコーを算出するＦＧ側半固定フィルタと、
前記第１の通信系への入力信号が予め定めたしきい値以上であり、前記ＢＧ側推定エコーの誤差が予め定めた第一のマージン以下であり、かつ、前記ＦＧ側推定エコーの誤差が予め定めた第二のマージン以下である転送条件が満たされたときに、前記ＢＧ側適応フィルタの係数を前記ＦＧ側半固定フィルタの前記所要の係数として転送する転送判断回路と、
前記第２の通信系への入力信号から前記ＦＧ側推定エコーを減算器で差し引いて前記第１の通信系から前記第２の通信系への回り込み信号を抑圧する引算手段、
とを備えたエコーキャンセラ装置であって、
前記第２の通信系側のエコーキャンセラ入力部と前記減算器との間に擬似回り込み経路が設けられ、初期動作状態で、前記ＢＧ側推定エコーの誤差が前記予め定めた第一のマージン以上であり、かつ、前記ＦＧ側推定エコーの誤差が予め定めた第二のマージン以上であり、しかも前記転送条件が満たされるように構成されたエコーキャンセラ装置。
【請求項２】
前記擬似回り込み経路による回り込み信号の下限値と上限値は、前記ＢＧ側推定エコーの誤差が前記予め定めた第一のマージン以上である条件と、前記ＢＧ側適応フィルタの動作可能レベル範囲内にある条件とにより、それぞれ規制されていることを特徴とする請求項１に記載のエコーキャンセラ装置。
【請求項３】
前記回り込み経路は、ハイブリッド回路であり、前記第１の通信系の出力が該ハイブリッド回路への４線側入力となり、該ハイブリッド回路からの４線側出力は前記第２の通信系への入力となるように構成されていることを特徴とする請求項１又は２に記載のエコーキャンセラ装置。
【請求項４】
前記回り込み線路は、前記第１の通信系の出力と前記第２の通信系の入力との間に形成される音響反響路であることを特徴とする請求項１又は２に記載のエコーキャンセラ装置。
【手続補正２】
【補正対象書類名】明細書
【補正対象項目名】０００４
【補正方法】変更
【補正の内容】
【０００４】
このＦＧ／ＢＧ方式は、畳み込み演算を行い推定エコーを算出する半固定フィルタ１と、回り込み経路の特性の変動に応じて適応計算を行う適応フィルタ２とを備えたデュオフィルタ方式であり、推定回路３において回り込み経路のインパルス応答（回り込み経路伝達特性）を推定し、その推定値ｊをＢＧ側の適応フィルタ２に入力する。ＢＧ側の適応フィルタ２は、その推定値ｊを用いて第１の通信路系の入力端子１３からの入力信号ｄの適応計算を行ったＢＧ側推定エコー信号ｈを出力する。さらに、減算器１１において第２の通信路系の入力端子１２からの入力信号ｃからＢＧ側推定エコー信号ｈを差し引く。回り込み経路のインパルス応答の推定が良好に行われていれば、エコー信号ｅ（相手端末からの入力信号ｆがないときにはエコー信号ｅが第２の通信路系の入力端子１２からの入力信号ｃに相当することになる）とＢＧ側推定エコー信号ｈはほぼ相等しいものとなる。ＢＧ側の適応フィルタ２の特性が真の回り込み経路の特性に近ければ、ＢＧ側の適応フィルタ２の係数をＦＧ側の半固定フィルタ１の係数に転送し、このＦＧ側への半固定フィルタ１からＦＧ側推定エコー信号ｉが出力される。一般的には、ＢＧ側の適応フィルタ２が真の回り込み経路の特性に近づいたことは、第２の通信路系の入力端子１２の入力信号ｃとＢＧ側推定エコー信号ｈとの差ａと第２の通信路系の入力端子１２からの入力信号ｃとのパワーを比較することで行われる。ここで、前記転送は次の条件のもとに行われる。


【手続補正３】
【補正対象書類名】明細書
【補正対象項目名】００１０
【補正方法】変更
【補正の内容】
【００１０】
即ち、前記課題を解決するために、本発明によるエコーキャンセラ装置は、第１の通信系を介して受信された受信信号が回り込み経路を介して第２の通信系に回り込む伝送系において、
前記第１の通信系で前記回り込み経路の特性の変動に応じて前記第１の通信系への入力信号に対する適応計算を行いＢＧ側推定エコーを算出するＢＧ側適応フィルタと、
前記第１の通信系への入力信号に対して所要の係数を用いる畳み込み演算を行ってＦＧ側推定エコーを算出するＦＧ側半固定フィルタと、
前記第１の通信系への入力信号が予め定めたしきい値以上であり、前記ＢＧ側推定エコーの誤差が予め定めた第一のマージン以下であり、かつ、前記ＦＧ側推定エコーの誤差が予め定めた第二のマージン以下である転送条件が満たされたときに、前記ＢＧ側適応フィルタの係数を前記ＦＧ側半固定フィルタの前記所要の係数として転送する転送判断回路と、
前記第２の通信系への入力信号から前記ＦＧ側推定エコーを減算器で差し引いて前記第１の通信系から前記第２の通信系への回り込み信号を抑圧する引算手段、
とを備えたエコーキャンセラ装置であって、
前記第２の通信系側のエコーキャンセラ入力部と前記減算器との間に擬似回り込み経路が設けられ、初期動作状態で、前記ＢＧ側推定エコーの誤差が前記予め定めた第一のマージン以上であり、かつ、前記ＦＧ側推定エコーの誤差が予め定めた第二のマージン以上であり、しかも前記転送条件が満たされるように構成されている。


【手続補正４】
【補正対象書類名】明細書
【補正対象項目名】００１４
【補正方法】変更
【補正の内容】
【００１４】
【発明の実施の形態】
図１に基づき本発明の実施例を説明する。実施例として、ハイブリッド回路１５を有し、エコーキャンセラを動作させたまま２線回線、または４線回線に切り替えるような系に接続する機能を備えたエコーキャンセラ装置について説明する。図１はその実施例であり、図２と共通な部分には同一の番号を付与した。図１の１６，１７は２線−４線切換スイッチ、１８，１９は４線回線の伝送路、２２は２線回線の伝送路を示している。
図１のｆ，ｎは相手端末からの信号、ｄは相手端末への信号、ｃは回り込み信号と相手端末からの入力信号ｆ，ｎの和の信号、２０は擬似回り込み経路、２１は前記擬似回り込み経路による擬似エコー信号ｇと回り込み信号ｅと相手端末からの信号ｆ，ｎを加算する加算器、ｈは相手端末への信号ｄを基に適応フィルタで回り込み信号を推定した推定エコー信号、ｉは相手端末への信号ｄを基に半固定フィルタで回り込み信号を推定した推定エコー信号である。


【手続補正５】
【補正対象書類名】明細書
【補正対象項目名】符号の説明
【補正方法】変更
【補正の内容】
【符号の説明】
１  半固定フィルタ
２  適応フィルタ
３  インパルス応答の推定回路
４  転送判断回路
５  入力判定回路
６  誤差比較回路
７  パワー比較回路
８  判定回路
９，１０  減算器
１１  第１の通信系の出力端子
１２  第２の通信系の入力端子
１３  第１の通信系の入力端子
１４  第２の通信系の出力端子
１５  ハイブリッド回路
１６，１７  ２線−４線切換スイッチ
１８，１９  ４線回路の伝送路
２０  擬似回り込み経路
２１  加算器
２２  ２線回路
ａ  誤差信号（ｃ−ｈ）
ｂ  誤差信号（ｃ−ｉ）
ｃ  第２の通信系の入力端子からの入力信号
ｃ’  信号値
ｄ  第１の通信系の入力端子からの入力信号
ｅ  回り込み信号
ｆ，ｎ  相手端末からの入力信号
ｇ  擬似エコー信号
ｈ  適応計算の推定エコー信号
ｉ  推定エコー信号
ｋ，ｋ’  マージン
ｊ  推定回路からの推定値
ｍ  転送判断回路からの制御信号